Podtech/llm-jp-corpus-v4-ja_patent huggingface dataset:
(57)【要約】      （修正有）【課題】路上駐車があるなど、見通しの悪い交差点において、通行者又は動物、物体などが交差点又は道路に接近した際に自動車運転手に知らせ交通事故の減少及び防止をはかる危険防止装置を提供する。【解決手段】道路に埋め込まれた感知器１の上を人又は動物、物体が進入すると信号機２又はポールに内蔵された発信機より無線信号がとび、受信機を備え付けた自動車の表示灯又は自動車の任意の位置に搭載された受信機のランプが発光すると共に警告音が鳴る。【選択図】図１
0003184385.tif 000002
【実用新案登録請求の範囲】
【請求項１】
人又は動物、物体が乗ると、その存在を感知し感知信号を出力するセンサーと前記信号に基づき無線信号を送る発信機と、発信機からの無線信号を受信する受信機、受信機から得た情報をもとに、表示と共に警報音を鳴らす装置とこれらを組み合わせた危険防止装置。
【請求項２】
前記出力信号に基づき無線信号を送る発信機能付きの信号機又はポール型又はその他形状の発信機。
【請求項３】
前記発信機よりとばされた信号を受信する、車内で運転手任意の位置に搭載された受信機兼表示・警報装置又は車の表示灯として表示される装置及び警報装置。
【請求項４】
出力センサーを任意の形状・間隔で配置し、存在の有無を運転手に知らせる請求項１から３の危険防止装置。
【請求項５】
発信機から得た情報をもとに信号受信時から受信終了後数秒間、警報音が鳴る請求項１と３記載の警報装置
【考案の詳細な説明】
【考案の概要】
【考案が解決しようとする課題】
【０００１】
路上駐車があるなど、見通しの悪い交差点において、通行者又は動物、物体などが交差点又は道路に接近した際に自動車運転手に知らせ交通事故の防止と減少をはかる。
【課題を解決するための手段】
【０００２】
道路に埋め込まれた感知器（１）の上を人又は動物、物体が進入すると発信機（２）又は（３）より無線信号がとび、受信機（４）を備え付けた自動車の受信表示灯又は搭載型ランプ（５）が発光すると同時に警告音が鳴る。
【考案の効果】
【０００３】
道路に人や動物などが近づいていることが目視できない状態でも把握できる為、運転手が注意して運転をすることにより事故の防止、減少につながる。
【図面の簡単な説明】
【０００４】
【図１】信号機が有る交差点での感知部の配置例を示したもの。
【図２】信号機が無い場所での感知部の配置例を示したもの。
【図３】路肩の無い歩道での感知部配置例を示したもの。
【図４】車に表示された無線受信表示灯を示したもの。
【図５】搭載型の受信機兼表示装置を示したもの。
【符号の説明】
【０００５】
１  感知部
２  無線信号発信機能付き信号機
３  無線信号発信用ポール
４  車に表示された無線受信表示灯（警告音含む）
５  車に搭載した無線受信装置（受信ランプ及び警告スピーカー含む）
【図１】
0003184385.tif 000003
【図２】
0003184385.tif 000004
【図３】
0003184385.tif 000005
【図４】
0003184385.tif 000006
【図５】
0003184385.tif 000007
【手続補正書】
【提出日】平成25年4月17日(2013.4.17)
【手続補正１】
【補正対象書類名】実用新案登録請求の範囲
【補正対象項目名】全文
【補正方法】変更
【補正の内容】
【実用新案登録請求の範囲】
【請求項１】
人又は動物、物体が乗ると、その存在を感知し感知信号を出力するセンサーと前記信号に基づき無線信号を送る発信機と、発信機からの無線信号を受信する受信機、受信機から得た情報をもとに、表示と共に警報音を鳴らす表示・警報装置とを備えたことを特徴とする危険防止装置。
【請求項２】
前記発信機は、発信機能付きの信号機又はポール型の形状であることを特徴とする請求項１に記載の危険防止装置。
【請求項３】
前記表示・警報装置は、車内で運転手任意の位置に搭載された受信機と一体化されているか、又は、車の表示灯として表示されることを特徴とする請求項１に記載の危険防止装置。
【請求項４】
出力センサーを任意の形状・間隔で配置し、存在の有無を運転手に知らせることを特徴とする請求項１から３のいずれか一項に記載の危険防止装置。
【請求項５】
前記表示・警報装置は、発信機から得た情報をもとに信号受信時から受信終了後数秒間、警報音が鳴ることを特徴とする請求項１又は３記載の危険防止装置。
(57)【要約】【課題】  道路脇のコンクリート・ブロック際や、舗装の窪んだ箇所の除草が為し難いこと、そして除草後の美観が悪いことを課題とした。  これに対応できる鎌の峰を活用した除草具を提供する。【解決手段】  市販されている鋸鎌の峰（２）に複数個の切欠き部（３）を設け、此処で除草できるように工夫した。【選択図】図１
0003184387.tif 000002
【実用新案登録請求の範囲】
【請求項１】
鎌の峰に複数個の切欠きを設けたことを特徴とする、鎌の峰を活用した除草具。
【考案の詳細な説明】
【技術分野】
【０００１】  本考案は除草作業で使用する道具の、鎌の峰を活用した除草具に関するものである。
【背景技術】
【０００２】  従来、使用されていた除草具には、鎌や鍬あるいは鉤状の器具など多くの種類がある。
【先行技術文献】
【０００３】
【実用新案文献１】
登録実用新案  第３０９９６１１号
【考案の概要】
【考案が解決しようとする課題】
【０００４】  従来の除草具では、道路脇のコンクリート・ブロックと舗装との境目から伸びる草や舗装の窪んだ箇所の草を取り除く方法には、先の尖った鍬状の器具あるいは、鎌の先端部分での除草が主体であったが、いずれの方法も作業が為し難いのが常であったし、また除草後の美観も悪かった。
【課題を解決するための手段】
【０００５】  本考案は上述の課題を解決するためになされたものである。
市販されている鋸鎌の峰（２）に、複数個の切欠き部（３）を設けた除草具であり、この切欠き部（３）の部分で、草の根元を削り取るのである。
【考案の効果】
【０００６】  本考案による効果を次に説明する。
＊  除草した後が以前よりも美観が良い。
＊  舗装とコンクリート・ブロックとの狭い溝の中が除草できる。
＊  舗装の窪んだ箇所の除草がしやすくなった。
＊  除草時間が以前よりも短くなった。
【図面の簡単な説明】
【０００７】
【図１】  本考案の斜視図である。
【考案を実施するための形態】
【０００８】  本考案を図１により説明する。
市販されている鋸鎌の峰（２）の凸状の曲線を活用したものであり、峰（２）の部分に複数個の切欠き部（３）をＵ字型に設けており、峰（２）の面に対してほぼ直角に成形している。
本考案は以上のような構造であり、次に使用方法を説明する。
コンクリート・ブロックと舗装との隙間の除草について述べる。
コンクリート・ブロックと鋸鎌の峰（２）が概平行する部分で除草するので、この事を念頭において、作業のしやすいように体制を整える。
先ず、峰（２）が斜め下向き（鋸刃（４）が斜め上向き）となる様に両手で柄（１）を持ち、草の根元に対して斜め横方向より、峰（２）を押し付けながら、柄（１）が弧を描くように前後に動かすと、切欠き部（３）は草の根元を削り取り、除草するものである。
舗装の窪んだ箇所の除草について述べる。
前述とほぼ同じであるが、除草する場所の状況により鋸鎌の峰（２）を立てることも有りうる。
使用方法の説明は以上である。
【符号の説明】
【０００９】    １  柄
２  峰
３  切欠き部
４  鋸刃
【図１】
0003184387.tif 000003
(57)【要約】      （修正有）【課題】ペンダントチェーンをペンダントトップから取り外し、ペンダントトップの形状を変化させる作業を排除し、より簡便的にペンダントトップの形状を変化させることができる装身具用ペンダントトップを提供する。【解決手段】ペンダントトップの中心部、又は中心部以外のジョイント部を、石を留めるための石座部１、前記石座部の背面側に設けられた可動部２、石座部から可動部が外れないように固定するための固定部３の３層構造とし、ペンダントチェーンを動かすことにより前記可動部を稼働させ、ペンダントトップの形状を変化させることを特徴とする。【選択図】図１
0003184383.tif 000002
【実用新案登録請求の範囲】
【請求項１】
ペンダントトップの一部分、もしくは複数部分を3層構造に分けることでペンダントトップの形状変化を行う為に、ジョイント機構を設け、ペンダントチェーンをペンダントトップから外すことなく、容易に、定められた角度でペンダントトップの形状を変化させる機構を備えたことを特徴とする装身具用ペンダントトップ。
【考案の詳細な説明】
【技術分野】
【０００１】
本考案は、貴金属製品の内、ペンダント、ネックレスに該当するものである。
【背景技術】
【０００２】
従来の技術では、ペンダントチェーンをペンダントトップから取り外し、再度ペンダントトップにペンダントチェーンを取り付け直す（通し方を変更する）ことによってのみ、ペンダントトップの形状を変更できた。
【先行技術文献】
【特許文献】
【０００３】
【特許文献１】（非）特許文献ｎ
【考案の概要】
【考案が解決しようとする課題】
【０００４】
解決しようとする問題点は、ペンダントトップに稼働機構を設けてもペンダントチェーンから外さなければ、その形状を変化することが出来ない点である。
【課題を解決するための手段】
【０００５】
この欠点は、ペンダントを身に付ける際に形状を変化させようとする際に、身に付ける方にとっての障害である。具体的には、細かな作業をすることが困難な方がペンダントトップの形状を変化させることが出来ない、あるいは形状変化をさせようとする際にペンダントトップをペンダントチェーンから外さなければならない煩わしい作業から、これを敬遠し機能を活用しないという問題があった。
【考案の効果】
【０００６】
ペンダントトップをペンダントチェーンから外すことなく、ペンダントチェーンの左右を違える（身に付けた際、右側に見えるペンダントチェーンを左側に、左側に見えるペンダントチェーンを右側にする）ことのみにより、ペンダントトップの形状（デザインを含む）を変化可能とし、１つのペンダントトップで２通りの身に付け方を可能とした。
【図面の簡単な説明】
【０００７】
【図１】ペンダントトップの中心部または、これ以外のジョイント部を、ダイヤモンド等の石を留める石座部（1.）、稼働を促す可動部（2.）、石座部から可動部が外れないように固定するための固定部（3.）の3層構造に分け各々を製作し、組立てる。この際、石座部には可動部の稼働域を制限するためのストッパー（1a.）を設けることにより、稼働域を調節する機構を持たせ、形状変形ができるペンダントトップとする。
【図２】実施例として、中心部にジョイント機構を備えているペンダントトップ。ペンダントチェーンをペンダントトップから外すことなく、左右を違えることによりのみ、ジョイント部分が稼働し異なる形状を表現している。
【符号の説明】
【０００８】
1.ダイヤモンド等の石を留める石座部
1a.可動部の稼働域を制限するストッパー
2.稼働を促す可動部
3.石座部から可動部が外れないよう固定する固定部
【図１】
0003184383.tif 000003
【図２】
0003184383.tif 000004
【手続補正書】
【提出日】平成25年4月12日(2013.4.12)
【手続補正１】
【補正対象書類名】実用新案登録請求の範囲
【補正対象項目名】全文
【補正方法】変更
【補正の内容】
【実用新案登録請求の範囲】
【請求項１】
ペンダントトップの中心部、又は中心部以外のジョイント部を、石を留めるための石座部（１）、前記石座部の背面側に設けられた可動部（２）、石座部から可動部が外れないように固定するための固定部（３）の３層構造とし、ペンダントチェーンを動かすことにより前記可動部を稼働させ、ペンダントトップの形状を変化させる装身具用ペンダントトップ。
(57)【要約】      （修正有）【課題】雪を運ぶ道具であるスノーダンプを振り上げ雪を切ること、すくうことの目的を兼ね備えたスコップを何度も差し込む作業が、雪下ろしが難儀な一因であり、これを軽減する雪カッターを提供する。【解決の手段】コ状の柄にＴ型、Ｌ型カッターを取り付け、それを雪に垂直に差し込む動作を繰り返すことにより、サイコロ状に切る準備ができる。底部にスノーダンプを差し込むことによりサイコロ状になった雪の塊が皿部分に乗る。【選択図】図１
0003184388.tif 000002
【実用新案登録請求の範囲】
【請求項１】
雪切り刃の形状が上方からみてＴ字状又はＬ字状であり、その刃にコ状の取っ手を設けたことを特徴とする雪カッター。
【考案の詳細な説明】
【技術分野】
【０００１】本考案は、雪下ろしの際スノーダンプを差し込めば、雪がサイコロ状にダンプ部分に乗るようにカットする予備作業をする道具に関する。
【背景技術】
【０００２】従来は、雪おろしをする時、運ぶためのスノーダンプを振り上げるか、スコップを何度も差し込み四角に切っていた。切らずに運ぶとすると雪は崩れ体積が増え、少ししか運ぶことができない。【０００３】しかしながら、運ぶための道具て切ったり、スコップを何度も差し込んだりすることは、作業者に大変な負担がかかる。
【考案が解決しようとする課題】
【０００４】本考案は、以上のような従来の欠点に鑑み、雪の縦の部分を容易に切ることを課題とした。
【課題を解決するための手段】
【０００５】本考案は、雪切り刃の形状が上方からみてＴ字状又はＬ字状であり、その刃にコ状の取っ手を設けたことを特徴とする。
【考案の効果】
【０００６】以上の説明から明らかなように、本考案にあっては、雪を一回切っておくことで、底部にスノーダンプを差し込むことでサイコロ状の塊が皿の上に乗る。
【図面の簡単な説明】
【０００７】
【図１】本考案は、刃の部分をＴ型にする。
【図２】本考案は、刃の部分をＬ型にする。
【考案を実施するための形態】
【０００８】以下、本考案装置の実施形態を図に基づいて説明する。
【実施例１】
【００１０】図１は、本考案Ｔ型の全体図である。コの字型の柄の両先端にＴ型のカッターを取り付ける。この道具を雪の上方より屋根に向かって垂直に差し込むと、縦と奥の部分の２面が切れる。スノーダンプの幅分をずらしこの作業を繰り返す。切れた雪の底部にスノーダンプを差し込むとサイコロ状に切れ皿に乗る。
【実施例２】
【００１１】図２は、本考案Ｌ型の図面である。Ｌ型カッターの一辺の中央ともう一辺の中央に、コの字型の柄の両先端部分を取り付ける。Ｔ型と同様２面が切れる。その後は事例１と同じである。
【図１】
0003184388.tif 000003
【図２】
0003184388.tif 000004
(57)【要約】      （修正有）【課題】墓地自然緑地で周囲と調和し、土地有効活用と児童公園を兼ね児童の宗教的情操を養い、かつ墓地を載置することとなる構造物の耐震化をし、避難スペースを提供する地域住民と共生化する地下階式墓地を提供する。【解決手段】地下階部と地上階部を持ち、各階に墓石１３を配置する立体墓地構造体の、地上部が、円形墳状ないし方形墳状に、構造体の全部または一部が土で覆われている古墳型墓地。及び古墳型墓地の構造体と連続している地下階部ないし単独である構造体地下階部の上部が、平坦に覆土されている地下階式墓地。【選択図】図１
0003184381.tif 000002
【実用新案登録請求の範囲】
【請求項１】
地下階部と地上階部を持ち、各階に墓石を配置する立体墓地構造体の、地上部が、円形墳状ないし方形墳状に、構造体の全部または一部が土で覆われている古墳型墓地。及び古墳型墓地の構造体と連続している地下階部ないし単独である構造体地下階部の上部が、平坦に覆土されている地下階式墓地。
【考案の詳細な説明】
【考案の詳細な説明】
【技術分野】
【０００１】  本考案は、墓石を立体構造体内に設置するに関する。
【背景技術】
【０００２】  墓石は大地上に直接載置される構造物として、自然のままに安置されるという構造が一般的に見られるものである。【０００３】  このように自然の中にある構造物では、周知のごとく面的な土地制約の問題があり、特に住居系地区においては土地有効活用に反するものとなるが、宗教的儀式においてはその必要性は高いものである。【０００４】  このような事態を勘案して、例えば墓を立体構造物の中に載置するために、特許・実用新案文献にて掲げる如く多くの提案がなされており、ビル形式の建物の中に墓石を安置する方法や、納骨堂など骨壷のみを建物の中に安置する方法が見られる。【０００５】  ところが、わが国のように狭い国土で人口密度も多い地区では墓地の必要性は高まるものの、その土地の確保には制約が伴うものである。特に住民の墓地嫌悪感が、他人ごととして扱われるため墓地の新規立地が一層困難なものとなっている。【０００６】  更に、ビル構造物内に墓石を載置することにも、隣接する建物との調和や街並み景観に反するとのことから普及が困難となっている。
【先行技術文献】
【特許文献】
【０００７】
【特許文献１】特許公開１１ー０６２３１９
【特許文献２】特許公開１０−０８８８６６
【特許文献３】特許公開０７ー０２６７９３
【特許文献４】特許公開０５ー３４０１３８
【考案の概要】
【考案が解決しようとする課題】
【０００８】  本考察は、上述の問題に鑑みて、墓地自然緑地で周囲と調和し、、土地有効活用と児童公園を兼ね児童の宗教的情操を養い、かつ墓地を載置することとなる構造物の耐震化をし、避難スペースを提供する地域住民と共生化する古墳型墓地である。
【課題を解決するための手段】
【０００９】  地下階部と地上階部を持ち、各階に墓石を配置する立体墓地構造体の、地上部が、円形墳状ないし方形墳状に、構造体の全部または一部が土で覆われている古墳型墓地。及び古墳型墓地の構造体と連続している地下階部ないし単独である構造体地下階部の上部が、平坦に覆土されている地下階式墓地。【００１０】  古墳型墓地の覆土部は、植生で覆われ緑の自然環境を創出するとともに、児童公園ないし地震時の避難スペースともなり、地下階式墓地の上部は、運動公園ないし駐車場及び地震時の避難広場等の公開スペースともなる。【００１１】  古墳型墓地の地上階部にはエントランス部を持ち、中央部には地下階部と連結する自然採光部および換気部を持ち、地上階部と地下階部は階段および昇降機による通路を、エントランス部と反対方向には非常用脱出口を設ける。【００１２】  地下階式墓地には地上部に墓地を管理する管理棟を設け、管理棟内部には地上階部と地下階部を結ぶ階段及び昇降機で通路を設け、自然採光部および換気口部は地下階部の端部にそれぞれ設ける。また管理棟と反対方向の地下階部に非常用脱出口を設ける。【００１３】  古墳型墓地の地上階部と地下階式墓地の構造体は、頂部・底部・壁を鉄筋コンクリートの躯体とし、内部には構造体を支える鉄筋コンクリート造りの柱が必要数配置されている。立体式墓地は地下階部が地震時に発生する左右の揺れを地盤の相互の反作用によって抑え、内部に配置される墓石の揺れを抑えことができる。
【考案の効果】
【００１４】  墓地の地上が被覆されることで緑の景観と自然環境サイクルを保持し、児童用遊具を具備するこことで児童公園を提供し、そこで戯れる子供たちに墓地の宗教的儀式を涵養し、道徳教育に役立てることができる。また、墓地を立体化することで限られたスペースに多くの墓地を供給することができ、墓地を古墳型にすることで墓石の所有者が歴史に名を末永く刻むことができる。
墓石は、地下階部と地上階部が一体の構造物であり、地下階部は地震時に発生する左右の揺れを地盤の相互の反作用によって抑え、地震時の揺れを抑えことができる構造体内に載置でき、墓石固有の耐震補強は不要となる。
【図面の簡単な説明】
【００１５】
【図１】本考察の一実施例の断面を示す図。
【図２】本考察の一実施例の平面を示す図。
【図３】本考察の一実施例の平面を示す図。
【図４】本考察の一実施例の内部を見た平面図。
【図５】本考察の一実施例の内部を見た平面図。
【図６】本考察の一実施例の断面および平面を示す図。
【図７】本考察の一実施例の断面および平面を示す図。
【考案を実施するための形態】
【００１６】  地下階部の底版矩形体▲１▼を築造し、外壁▲２▼を底版外壁として立ち上げ、地上部階床面を支える支柱▲３▼を配し、そののち床面▲４▼を築造する。地上階部型天井▲５▼は床面▲４▼を基礎面として支柱▲３▼を配し、入口部▲６▼、採光部▲７▼、換気口部▲８▼を築造し、床面▲４▼にはエレベーター部▲９▼、階段部▲１０▼、資材搬入口▲１１▼を設ける。
また、地下階式墓地には地上部に▲１４▼の管理棟を設け、地下階には窓▲１５▼も設ける。
【符号の説明】
【００１７】
0003184381.tif 000003
【図１】
0003184381.tif 000004
【図２】
0003184381.tif 000005
【図３】
0003184381.tif 000006
【図４】
0003184381.tif 000007
【図５】
0003184381.tif 000008
【図６】
0003184381.tif 000009
【図７】
0003184381.tif 000010
【手続補正書】
【提出日】平成25年4月1日(2013.4.1)
【手続補正１】
【補正対象書類名】実用新案登録請求の範囲
【補正対象項目名】全文
【補正方法】変更
【補正の内容】
【実用新案登録請求の範囲】
【請求項１】
地下階部と地上階部を持ち、各階に墓石を配置する立体墓地構造体の、地上部が、円形墳状ないし方形墳状に、構造体の全部または一部が土で覆われている古墳型墓地及び古墳型墓地の構造体と連続している地下階部ないし単独である構造体地下階部の上部が、平坦に覆土されている地下階式墓地。
(57)【要約】      （修正有）【課題】薄型で防水と防塵を目的とした屋外でも使用できる回転をスムーズにした薄型防水防塵一体型回転盤ユニットを提供する。【解決手段】第１回転盤２−１と第２回転盤２−２を回転盤留め具１により留めることで一体型となり、球４を配置する溝を設け、使用する球４を小さいものにすることで回転盤２−１、２−２を薄くでき、ゴムリング３−１、３−２をはめ込むことで回転に支障のある球４への埃や水の侵入を防ぐ。回転盤同士２−１、２−２の隙間にはグリースを充填して、防水、防塵について強化することにより、屋外で使用する薄型で防水と防塵を施した回転盤とする。【選択図】図２
0003184386.tif 000002
【実用新案登録請求の範囲】
【請求項１】
薄型で相互に回転する２枚の回転盤からなる一体型回転ユニットであって、外面が回転させたいものの下面に取り付けられる第１回転盤と、外面が基盤となるものに固定される下方に設ける第２回転盤とからなり、前記第１、第２回転盤が接し合う両内面には同心円状の同じ位置に溝が３本設けられ、前記３本の溝の中央には複数の球が配置され、前記球が配置される溝の左右の溝にはゴムリングがはめ込まれ、さらに、第１、第２回転盤の接し合う内面の隙間にグリースを充填し、第１、第２中心に回転盤留め具を配置し一体型としたことを特徴とする、薄型防水防塵一体型回転盤ユニット。
【考案の詳細な説明】
【技術分野】
【０００１】  本考案は、屋外で墓石等に使用される、たとえば、回転式ローソク立ての回転盤に関するものである。
【背景技術】
【０００２】  これまでにも、石の台に石製の回転ローソク台の部品が乗せられ、回転用の金具の上で回転する墓石用の回転ローソク台はあった。
【先行技術文献】
【特許文献】
【０００３】
【特許文献１】  実用新案登録第３１５４１２４号
【考案の概要】
【考案が解決しようとする課題】
【０００４】  しかしながら、従来の技術では、外で使用するため雨水、風による塵埃により回りが悪くなるという問題があった。従って防水・防塵、外での使用に対応しスムーズに回転し、見栄えの点からなるべく薄型にし、前述の欠点を解決しようとするものである。
【課題を解決するための手段】
【０００５】  本考案は、上記課題を解決するために、薄型で相互に回転する２枚の回転盤からなる一体型回転ユニットであって、外面が回転させたいものの下面に取り付けられる第１回転盤と、外面が基盤となるものに固定される下方に設ける第２回転盤とからなり、前記第１、第２回転盤が接し合う両内面には同心円状の同じ位置に溝が３本設けられ、前記３本の溝の中央には複数の球が配置され、前記球が配置される溝の左右の溝にはゴムリングがはめ込まれ、さらに、第１、第２回転盤の接し合う内面の隙間にグリースを充填し、第１、第２中心に回転盤留め具を配置し一体化して問題点を解決している。
【考案の効果】
【０００６】  本考案によれば、第１、第２回転盤の接し合う両内面に、同じ円状の同じ位置に溝が３本設けられ、前記３本の溝の中央には複数の小型の球が配置され、小型の球が配置される左右の溝、つまり球を囲むように、内側の溝に内側ゴムリングと外側に外側ゴムリングをはめ込み、回転する球や溝に水や埃が入らないようにすることができ、第１、第２回転盤の合わせ目より進入する水や埃を防ぐために、さらに隙間にはグリースを充填して、防塵や防水の性能を強化し屋外の使用に適した、上に乗っているものをスムーズに回転できる。
【図面の簡単な説明】
【０００７】
【図１】本体を上から見た上面図である。
【図２】本体を横から見た縦の断面図である。
【図３】本体を上から見た横の断面図である。
【考案を実施するための形態】
【０００８】  本考案はある程度の重さがあり、回転して使用するもの、特に屋外で使用する製品の薄型回転盤として使用することにより、スムーズな回転を得られる。
【０００９】  図２及び図３に示すように、本考案の実施に係る回転盤は、回転させたいもののサイズに応じた大きさの第１回転盤（２−１）、第２回転盤（２−２）を使用し、第１回転盤（２−１）と第２回転盤（２−２）の接し合う両内面の同じ位置に同心円状に３本の溝を設け、その３本の溝の中央の溝に複数の球（４）を配置するが、この時、球（４）のサイズをやや小さいものを使用すると薄型とすることができる。複数の球を配置した溝の左右の残り２本に複数の球（４）を囲むように複数の球（４）の内側にゴムリング（３−１）と複数の球の外側にゴムリング（３−２）をはめこみ、球（４）による回転の妨げとなる埃や水分等の侵入を防ぐ。さらに、第１回転盤（２−１）と第２回転盤（２−２）の隙間にグリースを充填し、防塵、防水効果を強化した状態で回転盤留め具（１）により、第１回転盤（２−１）と第２回転盤（２−２）の中央部を固定し一体化させる。そして、第１回転盤（２−１）の上部に回転させたいものを固定し、第２回転盤（２−２）の下部に基盤となるものに固定して使用するが、特に屋外に設置される墓石用の香炉を基盤として、第２回転盤の下部を固定し、第１回転盤（２−１）は墓石用の香炉で使用する回転型ローソク立て等の底に固定して使用される。
【符号の説明】
【００１０】  １      回転盤留め具
２−１  第１回転盤
２−２  第２回転盤
３−１  内側ゴムリング
３−２  外側ゴムリング
４      球
【図１】
0003184386.tif 000003
【図２】
0003184386.tif 000004
【図３】
0003184386.tif 000005
(57)【要約】      （修正有）【課題】従来の伝統的カードゲームに、対戦カードゲームの表示構成要素を取り入れることで、世代間コミュニケーションをはかる機会を持ちやすくするカード遊戯具を提供する。【解決手段】カード本体は伝統的カードゲームのカードでありこの本体の中に、従来の対戦カードゲーム用の能力値表示１を設けている。伝統的カードゲームの他、能力値表示１を使った従来の対戦カードゲームも遊べるので、幅広い年齢層に関心を持たせることが出来る。また、商業面でも伝統的カードゲームでは同種カードでも、能力値表示１を変えれば、枚数増加やオプション販売が可能になる。【選択図】図１
0003184364.tif 000002
【実用新案登録請求の範囲】
【請求項１】
伝統的カードゲームのカードに、従来の対戦カードゲームも出来る様に、行動能力を示す能力値表示を設けた事を特徴とするカード。
【請求項２】
前記伝統的カードゲームのカードはトランプであることで、前記特徴を有する伝統的カードゲームのカード。
【考案の詳細な説明】
【技術分野】
【０００１】  この考案はカード遊戯具の表示構成に関する。
【背景技術】
【０００２】  従来のカード遊戯具に、伝統的カードゲームと対戦カードゲームがある。【０００３】  伝統的カードゲームとは、一定数の種類からなるカードであり、１人から複数人同時に遊べるものである。その代表格は、図２のＡに示すトランプカードであり、全世代的に伝承的に受け継がれ、親しまれてきたものである。【０００４】  他に、図２のＣに示すカルタ、Ｄに示すタロットカード、Ｅに示す花札、Ｆに示すウノなどがある。【０００５】  また、対戦カードゲームとは、種類の定数をもたず、遊戯者は不特定多数のカードの中から一定数のカードを選択して用い、１人対１人を基本とする対戦形式で遊ぶものである。そのカードは図２のＢに示す、トレーディングカードを基に１９９０年代頃に登場したと言われるもので、カード本体に対戦に用いる行動能力を表す能力値表示１を備えたものであり、おもに若年層に好まれるものである。
【先行技術文献】
【特許文献】
【０００６】
【特許文献１】特開２０１１−２４９７７号広報
【０００７】
【特許文献２】特開２００９−５０６５９号広報
【考案の概要】
【考案が解決しようとする課題】
【０００８】  しかしながら、伝統的カードゲームが伝承的に親しまれ、大人から子供、時には家族でテーブルを囲んで遊ぶなど、世代間コミュニケーションを助ける役割を担って来たのに対し、コンピューターゲーム登場以降、対テレビ画面との一対一の遊び傾向に影響された世代ではカードゲームといえば対戦カードゲームとなりがちで、カードゲームを介在しての家族団らんや世代間コミュニケーションが見られなくなってきてしまった。【０００９】  そこでこの考案は、従来の伝統的カードゲームに、対戦カードゲームの表示構成要素を取り入れることで、世代間コミュニケーションをはかる機会を持ちやすくするカード遊戯具として提供することを課題とする。
【課題を解決する為の手段】
【００１０】  以上の課題を解決する為に、第一考案は、伝統的カードゲームのカードに、従来の対戦カードゲームも出来る様に、行動能力を示す能力値表示を設けた事を特徴とするカードである。
【００１１】  また、第二考案は、前記伝統的カードゲームのカードはトランプであることで、前記特徴を有する伝統的カードゲームのカードである。
【考案の効果】
【００１２】  第一考案、第二考案によれば、伝統的カードゲームを遊べる他、若年層に好まれる対戦カードゲームとしても遊べ、一つのカード遊戯具で幅広い世代の関心を誘うことができるため、カードゲームを介在しての家族団らんや世代間コミュニヶーションを計る機会を増やすことができる。
【図面の簡単な説明】
【００１３】
【図１】  この発明の一実施形態を示す平面図である。
【図２】  従来の技術を示す平面図である。
【考案を実施する為の形態】
【００１４】  この考案の一実施形態を、図１に示す、カード本体は伝統的カードゲームのカードでありこの本体の中に、従来の対戦カードゲーム用の能力値表示１を設けている。
【実施例】
【００１５】  この実施形態によれば、伝統的カードゲームの他、１の能力値表示を使った従来の対戦カードゲームも遊べるので、幅広い年齢層に関心を持たせることが出来る。
また、商業面でも伝統的カードゲームでは同種カードでも、１の能力値表示を変えれば、枚数増加やオプション販売が可能になる。【００１６】  図１の実施形態では伝統的カードゲームとしてトランプを使用したが、かるた、花札、タロットカード、ウノなどでも良い。また、従来の対戦カードゲームに、伝統的カードゲームの図柄、記号などを設けて、伝統的カードゲームが遊べるようにしても良い。
【符号の説明】
【００１７】１  対戦カードゲーム用能力値表示
Ａ  トランプカード
Ｂ  対戦カードゲームカードの一例
Ｃ  カルタ
Ｄ  タロットカード
Ｅ  花札
Ｆ  ウノ
【図１】
0003184364.tif 000003
【図２】
0003184364.tif 000004
【手続補正書】
【提出日】平成25年3月18日(2013.3.18)
【手続補正１】
【補正対象書類名】実用新案登録請求の範囲
【補正対象項目名】全文
【補正方法】変更
【補正の内容】
【実用新案登録請求の範囲】
【請求項１】
カードゲーム用のカードであって、前記カードゲーム以外の対戦カードゲーム用の能力値表示欄を、カードのおもて面の、前記カードゲーム用の図柄や記号の上下左右いずれかに設けたことを特徴とするカード。
【請求項２】
前記カードゲーム用のカードがトランプであることを特徴とする請求項１に記載のカード。
【手続補正２】
【補正対象書類名】明細書
【補正対象項目名】０００４
【補正方法】変更
【補正の内容】
【０００４】  他に、図２のＣに示すカルタ、Ｄに示すタロットカード、Ｅに示す花札などがある。
【手続補正３】
【補正対象書類名】明細書
【補正対象項目名】００１６
【補正方法】変更
【補正の内容】
【００１６】  図１の実施形態では伝統的カードゲームとしてトランプを使用したが、かるた、花札、タロットカードなどでも良い。また、従来の対戦カードゲームに、伝統的カードゲームの図柄、記号などを設けて、伝統的カードゲームが遊べるようにしても良い。
【手続補正４】
【補正対象書類名】明細書
【補正対象項目名】００１７
【補正方法】変更
【補正の内容】
【００１７】１  対戦カードゲーム用能力値表示
Ａ  トランプカード
Ｂ  対戦カードゲームカードの一例
Ｃ  カルタ
Ｄ  タロットカード
Ｅ  花札
【手続補正５】
【補正対象書類名】図面
【補正対象項目名】図２
【補正方法】変更
【補正の内容】
【図２】
0003184364.tif 000005
(57)【要約】      （修正有）【課題】作業中のカッター刃での怪我や折刃が飛散し床にさゝった落下刃での怪我の防止、および手首等のつかれ軽減を可能とする折刃収納飛散防止握柄を提供する。【解決手段】金ヘラの一部を中空としカッター折刃の収納庫８をつくり入口１裏側の収納庫側にはフィルム４を貼り、表側には常時は閉じているが折刃時は開く開閉蓋５を設置することにより二重飛散防止とした。又収納庫設置の困難な金ヘラは、握部を切断して柄だけ折畳めるすべり止め角度付握柄に交換できるようにした。【選択図】図１
0003184361.tif 000002
【実用新案登録請求の範囲】
【請求項１】
内装工事用の金ヘラの一部を中空として握部先端に角度をつけ壁紙との接触面積を多く確保し作業中のすべりを防止。中空とした部分にカッター刃の入口をつくり、カッター刃が入りながら開く開閉蓋を設置し内側にはフィルムを貼り二重の飛散防止とした。
又、金ヘラの柄が小さい時やうすい時には握り部を切断して上述した握柄と交換取付けできるようにした。
【考案の詳細な説明】
【技術分野】
【０００１】本考案は、壁紙貼りの金ヘラによるカッター刃の収納庫と折るための入口まわりに関する。
【背景技術】
【０００２】従来カッター刃を折る方法は金ヘラの一部に刃を当て指押えしながら折り腰袋に投入していた。
しかし、刃先が指にさゝったり、腰袋から道具を出す時ついた折刃は袋外に飛散し床にさゝったりして危険であり掃除が大変であった。
又、合板のため無駄な力と摩際で被れやすい不都合があった。
【考案が解決しようとする課題】
【０００３】カッタ折刃の処理と安全、及び手首等のつかれ軽減。
【課題を解決する為の手段】
【０００４】本考案は、金ヘラの一部を中空として、折刃収納庫を設置し内側、つまり収納庫側にはフィルムを貼り、折り口には、バネの反動を利用した常時締まった開閉蓋で二重の飛散防止を備えた握柄を考案した。
又、合板が薄かったり、小さい握柄で折刃収納庫が設置不能の時は握柄を切断して角度付すべり防止握柄と交換できるように考案した。
【考案の効果】
【０００５】作業者に怪我もなく被労軽減と作業能力が向上し、作業場がきれいになった。
【考案を実施するための形態】
【０００６】カッター折刃口は、カッターホルダーの残刃を収納するため長めが必要となるため柄と平行の横向きとした。
折刃収納庫から外部への折刃飛散を防止するために反動を利用した常時閉じた開閉蓋を設置。
この蓋はカッター刃先を蓋方向へ押しながらすべらすことにより入口へ進入するそこで圧力を加えて折る、収納庫側の入口にはフィルムを貼り付け表と裏の二重飛散防止とした。
握部に収納庫が設置不能な柄は切断してすべり防止と折畳柄を備えた握柄と交換する。
【実施例】
【０００７】カッター刃の折刃口は常時閉っているがカッターをすべらしなが開閉蓋を押すと折刃口が出てそこへカッター刃が進入する、そこで加圧して刃先を折る。カッターを引き抜くことにより、内側のフィルムが進入前の状態にもどり入口の開閉蓋もスポンヂに反動され元にもどる。
【図面の簡単な説明】
【０００８】
【図１】本考案のカッター刃折刃入れ握柄部の平面図である。
【図２】側面図。
【符号の説明】
【０００９】１        折刃入口
２        カバー止め
３        折刃排出口
４        逆流出防止フィルム
５        入口開閉蓋
６、      反動スポンヂ
７、      入口開閉蓋とスポンヂ止枠
８        折刃収納庫
９、      握柄
１０      上蓋
１１      下蓋
１２      金ヘラ固定ネヂ
１３      上、下蓋止
１４      排出口キャップ
１５      排出口キャップ軸
１６      スリップ止
【図１】
0003184361.tif 000003
【図２】
0003184361.tif 000004
【手続補正書】
【提出日】平成25年3月22日(2013.3.22)
【手続補正１】
【補正対象書類名】実用新案登録請求の範囲
【補正対象項目名】全文
【補正方法】変更
【補正の内容】
【実用新案登録請求の範囲】
【請求項１】
内装工事用の金ヘラに中空部を形成するとともに握部の折畳収能を設けてなるカッター刃を折るための装置であって前記握部の先端に角度をつけることで、作業中のすべりを防止し、前記中空部にはカッター刃の入口を設け当該入口部にはカッター刃が入りながら開く開閉蓋を設置し更に前記中空部の内側にはフィルムを貼ることで、カッター刃の飛散防止することを可能とせしめ、前記握部は前記装置に対して交換可能と折畳収能を設けてなることを特徴とするカッター刃を折るための装置。
(57)【要約】      （修正有）【課題】作業中壁紙にキズつけたり刷毛が片減りするのを防止した防キズ同時圧着刷毛を提供する。【解決手段】刷毛台の側面にポリプロピレンの加工ヘラ２を設置し、刷毛台の前後の立上りに、植毛３するか、又は後付可能な植毛板を設置することにより植毛を設け、植毛が外側に向けられ５毛先に丸味を持たせたことを特徴とする。刷毛による撫圧着と加工ヘラによる強圧着の２行程を同時に出来るようにした。【選択図】図１
0003184362.tif 000002
【実用新案登録請求の範囲】
【請求項１】
刷毛台の側面にプロピレンの加工ヘラを設置し台の前後の立上りに防キズの植毛をした撫刷毛であり、刷毛台の植毛は外側に向け手からの加圧が均等に伝わるよう考案した。
これにより片減りの不都合が軽減された。
又、立上りに防キズの無い刷毛台には後付けできる植毛板を考案。
【考案の詳細な説明】
【技術分野】
【０００１】本考案は撫刷毛に関する。【０００２】従来の撫刷毛は、撫圧着しかできずより強圧着するには強力用のポリプロピレンの加工ヘラを使用している。
又、撫工程中刷毛台によるコスリや破れキズがあり加圧角度の変化で刷毛毛の片減があり、消毛が早く不都合であった。
【考案の開示】
【考案が解決しようとする課題】
【０００３】手から刷毛への加圧力が角度により変化すると力が均等に伝達せず片減りで消耗が早く刷毛台の立上りによるコスリや突破りキズがつきやすく不都合であった。
【課題を解決する為の手段】
【０００４】そこで次工程のポリプロピレンの加工ヘラを刷毛台に接着して撫と圧着を同時に行い、刷毛台の前後立上りにも植毛し、それが無い刷毛台には植毛板を後付けできるよう考案した。
【考案を実施するための形態】
【０００５】撫刷毛台の前後の立上りに防キズの植毛をし側面にポリプロピレンの加工ヘラを接着する。
又、刷毛台への植毛は片減り防止の為外側に向け植毛する。
【実施例】
【０００６】以下添符図〔図１〕に従って説明する。
１の刷毛台握部を握り、上下、左右撫で残しのないよう壁紙の間の空気を外へ出す  次に２のヘラ側でも交互に圧着し、その作業中刷毛台の角で壁紙にキズをつけないよう台の前後の３の立上りの植毛で防ぐ３の植毛が外向きであるのは刷毛の片減り防止のためと刷毛台の向きが変化しても圧着力が変化しない為である。
１台の刷毛台で２行程が出来る考案である。
【図面の簡単な説明】
【０００７】
【図１】本考案の防キズ同時圧着刷毛の正面図である。
【図２】側面図
【符号の説明】
【０００８】１        刷毛台握部
２        ポリプロピレンの加工ヘラ
３        立上り植毛
４        ヘラ止ビス
５        外向きに植毛した刷毛
【図１】
0003184362.tif 000003
【図２】
0003184362.tif 000004
【手続補正書】
【提出日】平成25年3月22日(2013.3.22)
【手続補正１】
【補正対象書類名】実用新案登録請求の範囲
【補正対象項目名】全文
【補正方法】変更
【補正の内容】
【実用新案登録請求の範囲】
【請求項１】
刷毛台の側面にポリプロピレンの加工ヘラを設置し、該刷毛台の前後の立上りに、植毛するか、又は後付可能な植毛板を設置することにより植毛を設け、該植毛が外側に向けられ毛先に丸味を持たせたことを特徴とする防キズ同時圧着刷毛。
(57)【要約】      （修正有）【課題】火災等で発生する一酸化炭素やガス類を応急的に防ぐためにネクタイをマスクとして使用できる防災ネクタイを提供する。【解決手段】ネクタイ１の芯として使用されている中生地２を不繊布の生地で作成し、中生地をマスク部４として、マスク部の両端に紐及びゴム等のループ状の耳かけ５を設置する。火災時、非常時は、ネクタイ裏面を覆っている生地を開いたら、そのままネクタイを口に当てる。【選択図】図１
0003184374.tif 000002
【実用新案登録請求の範囲】
【請求項１】
ネクタイの芯として使用されている中生地を不繊布の生地で作成し、中生地の一部をマスク部として使用する防災ネクタイ。
構造は、ネクタイの芯として使用されている中生地を不繊布の生地で作成し、中生地をマスク部として、マスク部の両端に紐及びゴム等のループ状の耳かけを設置する。
【考案の詳細な説明】
【技術分野】
【０００１】  本考案は、火災時通常着用しているネクタイを火災時や非常時にマスクとして使用する為の防災ネクタイに関するものである。
【背景技術】
【０００２】  従来、火災等で発生する煙を吸引しないよう、ハンカチ、タオル等で口に当てて防ぐが、非常時のためにハンカチ、タオル等を常備することを習慣づけている人間は少ない。
【考案の概要】
【考案が解決しようとする課題】
【０００３】  火災時等は、一酸化炭素や、ガス等が、不完全燃焼により発生するが、無色、無臭のため、発生しても気が付きにくく、また、血液中のヘモグロビンと非常に結びつきやすいことから、少量を吸入しても血液の酸素運搬能力が著しく損なわれ、酸素欠乏状態で最悪の場合には死に至ることもある。
本考案は、火災等で発生する一酸化炭素やガス類応急的に防ぐためにネクタイをマスクに使用するものである。
【課題を解決する為の手段】
【０００４】  ネクタイの芯として使用されている中生地を不繊布の生地で作成し、中生地をマスク部として、マスク部の両端に紐及びゴム等のループ状の耳かけを設置する。火災時、非常時は、ネクタイ裏面を覆っている生地を開いたら、そのままネクタイを口に当てる。
以上の構成よりなる防災ネクタイ。
【考案の効果】
【０００５】  本考案のネクタイを着用していれば、火災等の非常時でもネクタイを外し、ネクタイの中生地を口元に当て、マスクとして使用できることで、火災時死亡要因の一酸化中毒による事故や死亡を防ぐことができる。
【図面の簡単な説明】
【０００６】
【図１】本考案の使用状態を示す斜視図
【図２】本考案の斜視図
【図３】本考案の正面からの着用を示す斜視図
【図４】本考案の側面からの着用を示す斜視図
【考案を実施するための形態】
【０００７】  以下、本考案の実施の形態を説明する。
（イ）ネクタイ（１）は、ネクタイ表生地の内側にネクタイの芯となる中生地（２）を設け、ネクタイ表生地の両側にあるネクタイ裏生地（３）が中生地（２）を抱合するように裏面に折りたたまれて形成されている。
（ロ）中生地（２）を不繊布で作成する。
（ハ）ネクタイの内部にある中生地（２）の中央部をマスク部（４）とし、マスク部（４）の両側に紐及びゴム等のループ状の耳かけ（５）を設ける。
本考案は以上の構成よりなっているので、建物内で火災に遭遇したときに、ネクタイの裏生地（３）を開いて中生地（２）を取り出し、マスク部（４）を口にあてがい、紐及びゴム等の耳かけ（５）を内側のフック（６）から外し、紐及びゴム等の耳かけを耳に掛けることによりマスク部（４）を口にあてがい紐及びゴム等の耳かけ（５）を耳に掛けることによりマスク部（４）を装着する。
【符号の説明】
【０００８】ネクタイ（１）、中生地（２）、裏生地（３）、マスク部（４）、紐及びゴム等の耳かけ（５）フック（６）
【図１】
0003184374.tif 000003
【図２】
0003184374.tif 000004
【図３】
0003184374.tif 000005
【図４】
0003184374.tif 000006
【手続補正書】
【提出日】平成25年3月22日(2013.3.22)
【手続補正１】
【補正対象書類名】実用新案登録請求の範囲
【補正対象項目名】全文
【補正方法】変更
【補正の内容】
【実用新案登録請求の範囲】
【請求項１】
ネクタイ表生地の内側に、ネクタイの芯となる中生地を設け、前記中生地の一部をマスクとして使用する防災ネクタイであって、前記中生地を不織布で作成し、前記中生地にマスク部を設け、前記マスク部の両端のループ状の耳かけを設置することを特徴とする防災ネクタイ。
(57)【要約】      （修正有）【課題】雨の日でも周囲が明るくなるような、カラフルで傘よりも濡れることが少ない、コンパクトで携帯に便利な雨具を提供する。【解決手段】折りたたみ傘に使う布地と同質で、カラフルな絵柄の入ったものを使って、フードにつばを付けた形に作り、フードの下に前側と後ろ側に腰の辺りまで下げる。そして前後、腰の辺りまで下げた部分の内側に大きなポケット様の袋を取りつけ、袋の手前に帯状の紐を縫い付ける。また、後ろの方は、前のよりも大きい袋を付けて置く。そして、電車に乗る時や、持ち歩く時は、一方の袋を裏返して、裏返した袋の中へたたみ込んで携帯する。【選択図】図１
0003184378.tif 000002
【実用新案登録請求の範囲】
【請求項１】
折りたたみ傘に用いる生地と同質の物で、カラフルで明るい絵柄の生地を使い、フードの先の方に帽子のつばを付けた形にする。そして、前に垂らす生地は、臍下１０センチくらいまで下げる。また、後ろに垂らす生地は、腰の下辺りまで下ろす形に作る。小さく。薄くたためて、携帯しやすい、被れるアンブレラ。
【請求項２】
前に垂らした生地の方には、物を入れて歩いても良いような、幅広で大きめの袋をつける。そして雨風が強い時に掴める紐を縫い付けて作る。請求項１の被れるアンブレラ。
【請求項３】
後ろに垂らす方には、さらに大きめな袋を付けて、前の袋よりも多くの物を入れて歩けるように作る。請求項１の被れるアンブレラ。
【考案の詳細な説明】
【技術分野】
【０００１】本考案は、軽くてコンパクトにたたみ易く作り。普段、バックに入れて持って歩いても、荷物にならず。机の引き出しの隅においても、邪魔にならない。被って着用するのも簡単で、宅配の人が車から家への配達の時にも利用し易く、また、軽作業位ならこなすことが出来て、梅雨時でも、快適に着用できるように作り。電車に乗る時や店などに入る時など、携帯しやすいように、ケースを一体で作る。
【背景技術】
【０００２】従来の傘においては、傘を差す時必ず片手で持って差します。風の強い雨の日には、両手でしっかり柄を持って、風の吹く方向に、傘を傾けて差さなければならず、視界が悪くなります。また、電車に乗る時など、濡れたレインウェアーは、着たままでは周囲に迷惑になるので、水を切ってたたむ時、手間が掛かるのと、持ち歩く時、邪魔になります。
【先行技術文献】
【特許文献】
【０００３】
【特許文献１】  ２０１２−１７６２０８
【特許文献２】  ２００５−１７７４５１
【非特許文献】
【０００４】
【非特許文献１】  実登３０７０４５９
【考案の概要】
【考案が解決しようとする課題】
【０００５】雨の日に傘をさす場合、片手で傘を持って差さなければなりません。そして、雨風が強い場合、両手で持って差さなければなりません。それでも、胸の辺りまで濡れてしまいます。そして、電車に乗る時などは、濡れた傘が邪魔になります。また、折りたたみ傘の場合、たたむのに手間が掛かります。雨風が少しくらい強くてもあまり濡れず。携帯しやすく、便利でカラフルで周囲が明るくなるような、被って楽しめる雨具を作る。
【課題を解決するための手段】
【０００６】上記目的を達成するために、本考案における、携帯に便利な被れるアンブレラは、フードに帽子のつばの様なものを付けて、そして、下部は腰下まで、前と後に大きなポケットの様な袋を、それぞれの内側に付けて、一枚ずつ垂らす形にする。【０００７】前に垂らす生地の内側に付ける、大きなポケットの様な袋には、帯のように平たく造った紐を、紐の両端と真中の３か所、水平に縫いつけて置く。【０００８】被れるアンブレラを、携帯しやすくする為と、明るく、おしゃれな感じを持たせるために、折りたたみ式の傘に使うような、薄くて丈夫でカラフルな生地でつくるがよい。
【考案の効果】
【０００９】本考案は、以上説明したように構成されているので、以下に記載されるような効果をそうする。【００１０】傘の柄の役目を、被る人がするので、雨具の中心に身体がある形になり、雨具が小さくても、濡れることが少ない。【００１１】そして、傘のように柄を持たなくて済むので、両手が自由になる事により、雨の日でも、簡単な手仕事くらい出来る。【００１２】さらに、宅配の人達にとって、傘と違って、品物を雨具の中に抱え込んで、配達をするが出来ることにより、品物を濡らすことが少なくなる。【００１３】    また、前と後ろに付いている袋に物を入れて置けば、風が吹いても雨具の裾が捲られることを防ぐことが出来る上に。雨具の裾が外に膨れて広がるため、濡れることがより少なくなる。【００１４】さらに、前から雨が激しく吹き付ける時など、前の袋に縫い付けてある、紐を掴んで突き出すようして、身体を吹き付ける方向に傾ければ、前方から吹き付ける雨を防ぐことが出来る。【００１５】又、雨の降りそうな時、バックなどに入れて、携帯して持ち歩く場合、フードの方から裏返した内側の袋にたたみ込み、袋を携帯用の袋として一体的に利用する。【００１６】また、濡れた雨具をたたんで電車に乗る時には、ある程度、水を払って、フードの濡れていない方を表面にして、裏返した内側の袋にたたみ込むことにより、電車に乗るにも、持ち込み易い。
【図面の簡単な説明】
【００１６】
【図１】「本考案の着用を示した側面図である。」
【図２】「本考案の正面図である。」
【図３】「本考案の前内側に付ける袋の図である。」
【図４】「本考案の後ろ内側に付ける袋の図である」
【考案を実施するための形態】
【００１７】本考案の雨具は、小さくたためて、軽くできるので、天気が少しでも悪くなりそうな場合、必ず携帯して外出する。また、車には、いつも乗せて置き。そして、雨の降っている時には、袋に丸め込んである雨具を、伸ばして広げ、被ってから車の外に出る。
【実施例】
【００１８】小学生の通学時には、ランドセルの上からかぶせて着用すると良い。【００１９】山登りの時などに使う場合、下の方が開いているので、身体の上下動により、空気が下から上に抜けるので、耳が火照らない。【００２０】雨風が激しく前方より吹き付けても、前の袋に付いた紐を掴んで、吹き付ける方に押し出せば、傘のようにびしょ濡れにはならない。【００２１】宅配の人は、車の中で被って、荷物を抱え込んで配達すれば、荷物も配達する人も濡れることがない。【００２２】雨の日のスポーツ観戦など、傘の場合、後ろの人は見ることが出来なくなるが、前の人の肩越しに見ることが出来る。
【産業上の利用可能性】
【００２３】テレビで台風の情報で、よく傘が御猪口になって、傘の骨が折れてしまう光景が写されますが。内側の袋に物を入れれば捲り上げられず、ずぶ濡れにならない。また、簡単な手作業くらいなら、雨の日でも被ってすることが出来る。
【符号の説明】
【００２４】  １、雨具本体
２、つば
３、前の内側に付ける袋
４、前の袋に縫い付ける帯状の紐
５、後ろの内側に付ける袋
【図１】
0003184378.tif 000003
【図２】
0003184378.tif 000004
【図３】
0003184378.tif 000005
【図４】
0003184378.tif 000006
(57)【要約】      （修正有）【課題】レリーズを紛失したり、ストラップと絡んだり、あるいはその都度、取り付けたり取外しの面倒な事を無くしたシャッター機能付きカメラストラップを提供する。【解決手段】カメラに取り付けるカメラストラップ１であって、カメラストラップの内部に、カメラのシャッター２及び前記のシャッターと一端を接続され、他端をカメラに接続するためのケーブルコード３、叉は、ケーブルレリーズを組み込んだことを特徴とする。【選択図】図１
0003184376.tif 000002
【実用新案登録請求の範囲】
【請求項１】
シャッターの内蔵したカメラストラップ
【考案の詳細な説明】
【背景技術】
【００１】従来，ケーブルレリーズとカメラストラップは別々で，三脚を使用する際，ブレを防ぐためにレリーズを使用していたが，レリーズを紛失したり，その都度探したり，ストラップと絡んだり，取り付け，取外しが大変面倒であった．
【課題を解決する手段】
【００２】そこでシャッターもしくはケーブルレリーズをカメラストラツプの中に組み込んだ．
【考案の効果】
【００３】よって本考案は，シャッターもしくはケーブルレリーズをカメラストラップの中に組む事によってレリーズを紛失したり，ストラップと絡んだり，使用時に取り付け取外しの面倒な事が無くなった．
【考案を実施するための最良の形態】
【００４】本考案は図に示す通り，カメラストラップ１の中にシャッター２と，ケーブルコード３が組み込まれている．
【図面の簡単な説明】
【００５】
【図１】  全体図
【符号の説明】
【００６】１  カメラストラップ    ２  シャッター    ３  ケーブルコード
【図１】
0003184376.tif 000003
【手続補正書】
【提出日】平成25年3月28日(2013.3.28)
【手続補正１】
【補正対象書類名】実用新案登録請求の範囲
【補正対象項目名】全文
【補正方法】変更
【補正の内容】
【実用新案登録請求の範囲】
【請求項１】
カメラに取り付けるカメラストラップであって，
前記カメラストラップの内部に，前記カメラのシャッター及び前記のシャッターと一端を接続され，他端を前記のカメラに接続するためのケ−ブルコード，叉は，ケ−ブルレリ−ズを組み込んだことを特徴とする，シャッタ−機能付きカメラストラップ。